(57)【要約】【課題】携帯通信端末の通信不能時にその携帯通信端末に対してある発信者から電話がかけられた場合に、その後、その携帯通信端末のユーザが簡単な操作でその発信者に対して電話をかけられるようにするための移動体通信システムを提供する。【解決手段】呼び出し先とされた携帯電話機５０が通信不能状態である場合に、無線基地局と接続された管理サーバにおいて発信側の電話機から発信者番号を取得し発信を受けた日時とともに保存しておき、後に携帯電話機５０が通信可能状態になった際に、管理サーバは基地局を介して携帯電話機５０に、保存していた発信者番号や日時を含む呼設定情報６１０を送る。これを受けた携帯電話機５０は、その発信者番号等を、通常の電話着信の場合にも用いる電話着信履歴用のメモリ領域に記録し、ユーザによる履歴表示指示や表示中の発信者番号を用いた発呼指示に対応する。【選択図】図１０
2010022072.tif 000002
【特許請求の範囲】
【請求項１】
電話機能を有する移動通信端末であって、
電話着信履歴用メモリ領域と、
電話着信の際に送られてくる発信者番号とその端末の現在の着信の日時を前記電話着信履歴用メモリ領域に記録する第１記録手段と、
通信不能状態であるときにサーバに格納された発信者番号とその発信された日時を通信可能状態になったとき受信すると前記電話着信履歴用メモリ領域に記録する第２記録手段と、
前記電話着信履歴用メモリ領域に記録されている履歴を複数同時に表示し、通信不能状態の際のメッセージが存在するか否かを区別して表示する表示手段とからなり、
前記表示手段に複数同時に履歴を表示した際に、使用者の操作により、少なくとも前記発信者番号と前記日時の一組を表示するものであり、
表示される前記日時は通信不能状態である着信履歴の場合はサーバから受信した日時である
ことを特徴とする移動通信端末。
【請求項２】
少なくとも前記発信者番号と前記日時の一組を表示した際に、表示して選択された発信者番号に宛先として発呼できるとともに、前記表示手段に複数同時に履歴を表示した際に選択された宛先に発呼できる
ことを特徴とする請求項１記載の移動通信端末。
【請求項３】
少なくとも前記発信者番号と前記日時の一組を表示した際に、通信不能状態の履歴である場合にはメッセージを共に表示することを特徴とする請求項２記載の移動通信端末。
【請求項４】
少なくとも前記発信者番号と前記日時の一組を表示した際に、示された表示指示を操作することにより、前記発信者番号と前記日時の一組の表示から、履歴の複数同時表示へ切り換えられることをユーザに示すように制御する
ことを特徴とする請求項１〜３のいずれか１項に記載の移動通信端末。
【発明の詳細な説明】
【技術分野】
【０００１】
本発明は、移動体通信に関し、特に、携帯電話機等の移動通信端末へ発信者に関する情報を通知するシステムに関する。
【背景技術】
【０００２】
従来、多くの携帯電話機は、電話着信すると発信者番号や着信時刻等を記録して表示する着信履歴管理機能を有する。これにより、携帯電話機のユーザは、電話着信時に電話に出ることができなくても、表示された発信者番号等を参照して、電話着信があったことを知り、後に発信者に対して電話をかけることができる。
しかし、携帯電話機が、電源オフ状態である場合や、無線基地局との通信可能エリアの外に、即ちいわゆる圏外に、所在する場合には、その携帯電話機は上述の発信者番号等を受信することができない。
【０００３】
この問題を解決するものとして、従来、留守番電話サービスが提供されている（特許文献１参照）。留守番電話サービスでは、サービスセンタにおいて、携帯電話機が電源オフや圏外といった通信不可能状態の場合に、その携帯電話機に対して発信があったことや発信者からの音声メッセージ等を記録し、携帯電話機のユーザからサービスセンタに再生要求の電話があれば、その音声メッセージを再生するとともに、発信者番号を音声で伝える。
【先行技術文献】
【特許文献】
【０００４】
【特許文献１】特開平９−２００８４４号公報
【発明の概要】
【発明が解決しようとする課題】
【０００５】
しかしながら、従来の留守番電話サービスによれば、発信者番号等を音声で伝えられるので、その発信者に対して電話をかけるためには、その音声で伝えられた番号を１つずつテンキー押下により入力する必要があり、この操作は煩わしい。
そこで、本発明はかかる問題に鑑みてなされたものであり、電話通信機能を有する携帯情報機器（ＰＤＡ：Personal Digital Assistant）や携帯電話機等の携帯通信端末の通信不能時に、その携帯通信端末に対してある発信者から電話がかけられた場合に、その後、その携帯通信端末のユーザが簡単な操作でその発信者に対して電話をかけられるようにするための移動体通信システムを提供することを目的とする。
【課題を解決するための手段】
【０００６】
上記課題を解決するために、本発明に係る移動体通信システムは、基地局システムと携帯通信端末とを備える移動体通信システムであって、前記基地局システムは、電話端末から発呼があった際に発呼先である携帯通信端末が通信不能状態であることを検知した場合に、当該電話端末から送られた発信者番号を保持する保持手段と、前記電話端末から送られて保持している発信者番号を、前記携帯通信端末が通信可能状態である場合に当該携帯通信端末に送信する送信手段を有し、前記携帯通信端末は、電話着信履歴用メモリ領域と、電話着信の際に送られてくる発信者番号を電話着信履歴用メモリ領域に記録する第１記録手段と、前記基地局システムから送られた発信者番号を受信すると前記電話着信履歴用メモリ領域に記録する第２記録手段と、前記電話着信履歴用メモリ領域に記録されている発信者番号を表示する履歴表示手段と、前記電話着信履歴用メモリ領域に記録されている発信者番号のうちいずれか１つを指定するユーザ操作を受けると、指定された発信者番号を用いて発呼する発呼手段とを有することを特徴とする。なお、基地局システムは、１以上の基地局と携帯通信端末を管理する管理サーバを含んで構成される。
【発明の効果】
【０００７】
本発明に係る移動体通信システムは、上述の構成を備えることにより、通信不能時に発信を受けた場合においても発信者番号が、通信可能時に電話着信をした場合と同一の電話着信履歴用メモリ領域に記録され、履歴表示や発呼が同様に扱われるため、ユーザは通信不能時に発信を受けた場合において特殊な操作をすることなく、通常の電話着信を受けた際の操作と同様の操作で、容易に発信元の電話機に対して電話をかけることができるようになる。一般に携帯電話機では、履歴表示から発呼までは、ユーザが頻繁に利用するため、簡単な操作手順で実行できるようになっており、通信不能時に発信を受けた場合の履歴情報も同様の操作手順で実行できるようにすることはユーザの操作性を向上させることになる。
【０００８】
また、前記基地局システムは更に、電話端末から呼び出された携帯通信端末が通信不能状態から通信可能状態に変化したことを検知する検知手段とを有し、前記送信手段は、前記携帯通信端末が通信可能状態に変化したことが前記検知手段により検知された場合に、前記送信を行うこととしてもよい。
これにより、携帯通信端末が、通信不能状態であるときに電話発信を受けていたときにおいて、その後その携帯通信端末が通信可能状態になると、携帯通信端末は発信者番号を得て、携帯通信端末のユーザはその発信者番号を知ることができるようになる。
【０００９】
また、前記送信手段は、電話着信でなく通信不能状態のときに発信を受けた旨を示す所定識別子と、発信者番号とをともに送信し、前記第２記録手段は、発信者番号を前記所定識別子とともに受信した場合に前記基地局システムから送られて受信したものとして当該発信者番号を前記電話着信履歴用メモリ領域に記録し、前記携帯通信端末は、電話着信の際には音又は振動により電話着信をユーザに報知し、通信不能状態のときに発信を受けた旨を示す前記所定識別子を受信した際には音及び振動の発生を抑止する報知手段を有することとしてもよい。
【００１０】
これにより、携帯通信端末は、通常の電話着信と、通信不能時に呼び出された場合に発信者番号が伝達されるための着信とを識別し、通常の電話着信の場合にのみユーザへの音又は振動による報知を行うので、ユーザの混乱を防止することができるようになる。
また、前記保持手段は、電話端末からの発信者番号とともに、電話端末から発呼があった日時を保持し、前記送信手段は、保持している前記発信者番号とともに前記日時を、前記携帯通信端末に送信し、前記第１記録手段は、着信の際に送られてくる前記発信者番号と対応付けて当該着信があった日時を、前記着信履歴用メモリ領域に記録し、前記第２記録手段は、前記基地局システムから送られた発信者番号とともに日時を受信すると、発信者番号と当該日時とを対応付けて前記電話着信履歴用メモリ領域に記録し、前記履歴表示手段は更に、前記電話着信履歴用メモリ領域に記録されている日時を表示することとしてもよい。
【００１１】
これにより、携帯通信端末のユーザは、携帯通信端末が通信不能状態であった際に電話発信を受けていた場合に、その後、いつその発信があったかを知ることができるようになる。
また、前記保持手段は更に、電話端末から発呼があった際に発呼先である携帯通信端末が通信不能状態であることを検知した場合に、当該電話端末から送られた文字メッセージを保持し、前記送信手段は、保持している前記発信者番号とともに前記文字メッセージを、前記携帯通信端末に送信し、前記携帯通信端末は更に、前記基地局システムから送られた文字メッセージを受信すると、メモリ領域に記録する第３記録手段と、前記履歴表示手段により発信者番号が表示されている間に所定のユーザ操作を受けると、当該発信者番号とともに受信された後にメモリ領域に記録されている文字メッセージを表示する文字メッセージ表示手段とを有することとしてもよい。
【００１２】
これにより、携帯通信端末のユーザは、携帯通信端末が通信不能状態であった際に発信を受けていた場合に、その発信者が文字メッセージを残していれば、その文字メッセージを知ることができるようになる。
また、本発明に係る移動通信端末は、電話機能を有する移動通信端末であって、電話着信履歴用メモリ領域と、電話着信の際に送られてくる発信者番号を電話着信履歴用メモリ領域に記録する第１記録手段と、所定識別子とともに送られてくる発信者番号を受信すると前記電話着信履歴用メモリ領域に記録する第２記録手段と、前記電話着信履歴用メモリ領域に記録されている発信者番号を表示する表示手段と、前記電話着信履歴用メモリ領域に記録されている発信者番号のうちいずれか１つを指定するユーザ操作を受けると、指定された発信者番号を用いて発呼する発呼手段とを備えることを特徴とする。
【００１３】
これにより、移動通信端末は、通信不能時において保存されていてその後に無線基地局から所定識別子とともに送られた発信者番号を、通常の電話着信時に取得する発信者番号と同様に、管理することができ、ユーザは、いずれの発信者番号を用いた発呼も同様の操作で行うことができるようになる。従って、例えば、通信不能時において保存されていた発信者番号を、ユーザが特定の電話番号の留守番電話サービスのサーバに電話をかけて音声メッセージによって知って、その聞き取った発信者番号を移動通信端末に入力して漸く、その発信元に対して電話をかけることができる従来の技術を用いた場合と比べて、この移動通信端末によれば、ユーザは容易に発信元に電話をかけることができる。
【図面の簡単な説明】
【００１４】
【図１】本発明の実施形態に係る移動体通信システムの概略構成図である。
【図２】携帯電話機の機能ブロック図である。
【図３】発信情報格納部に格納される発信情報のデータ構成及び内容例を示す図である。
【図４】携帯電話機のメモリに蓄積される電話着信履歴情報及び文字メッセージのデータ構成及び内容例を示す図である。
【図５】管理サーバの発信受付に関する動作を示すフローチャートである。
【図６】管理サーバによる発信受付処理を示すフローチャートである。
【図７】発信側の携帯電話機と基地局との通信シーケンスを示す図である。
【図８】文字メッセージの伝送を行う発信側の携帯電話機と基地局との通信シーケンスを示す図である。
【図９】管理サーバ６０による発信者番号伝達処理を示すフローチャートである。
【図１０】基地局から、管理サーバより送られた発信情報を携帯電話機に伝達する際の通信シーケンスを示す図である。
【図１１】携帯電話機における着呼処理を示すフローチャートである。
【図１２】携帯電話機における電話着信履歴表示処理を示すフローチャートである。
【図１３】電話着信履歴の表示に係るＬＣＤ画面例を示す図である。
【発明を実施するための形態】
【００１５】
以下、本発明の一実施形態である移動体通信システムについて図面を用いて説明する。
＜構成＞
図１は、本発明の実施形態に係る移動体通信システムの概略構成図である。
移動体通信システム１は、同図に示すように、発信者側の携帯電話機１０と、基地局２０と、電話網３０と、基地局４０と、着信者側の携帯電話機５０と、管理サーバ６０と、発信情報格納部７０とを備える。
【００１６】
ここで、基地局２０及び基地局４０は、携帯電話機との間で無線通信を行う無線基地局である。
また、管理サーバ６０は、携帯電話機がどの基地局の通信可能範囲に所在するかという情報を、携帯電話機から位置登録を受けた基地局より収集して管理する装置であり、また、発信側の電話機から呼び出された相手（以下、「発信先」という。）の携帯電話機が、通信不能状態であることを検知したなら、発信側にその旨を通知するとともに発信者番号やその発信を受けた時刻等の発信情報を、記録媒体である発信情報格納部７０に格納し、発信先の携帯電話機が通信可能状態になった後に、その発信情報を発信先の携帯電話機に伝達する機能を有する。
【００１７】
なお、通信不能状態とは、携帯電話機の電源がオフにされている状態、又はいずれの基地局の通信可能範囲にも所在しない、いわゆる圏外の状態をいう。
図２は、携帯電話機５０の機能ブロック図である。
同図に示すように、携帯電話機５０は、マイク５０１、レシーバ５０２、スピーカ５０３、着信バイブレータ５０４、キー５０５、液晶ディスプレイ（ＬＣＤ）５０６、変調部５１０、復調部５２０、高周波部５３０、アンテナ５３１及び制御部５４０を備え、従来の携帯電話機に、通信不能状態中に呼び出されていた場合においても発信者番号等の発信情報を従来の電話着信履歴と同様に管理する機能を、追加したものである。
【００１８】
ここで、高周波部５３０、変調部５１０及び復調部５２０は、１／４πシフトＱＰＳＫによる変復調とＴＤＭＡ（時分割多重）／ＴＤＤ（時分割双方向送受信）による多重化及び通信制御を行う送受信部である。
また、制御部５４０は、携帯電話機の各部を制御するものであり、ハードウェアとしてはメモリ及びＣＰＵを含んで構成され、機能面については、従来の携帯電話機においてＣＰＵで実現される電話着信履歴の表示機能や発呼機能等の一般的な機能以外な新たな機能を実現するために、電話着信履歴格納部５４１、文字メッセージ格納部５４２、表示制御部５４３及び発呼部５４４という特徴的な機能部を有する。
【００１９】
電話着信履歴格納部５４１は、電話着信があった場合にその着信日時及び発信者番号といったいわゆる履歴情報を蓄積するための、不揮発性メモリ中の一領域である。ここでいう電話着信にはメールの着信は含まない。なお、この電話着信履歴格納部５４１は、通信不能状態である携帯電話機５０を発信先として電話をかけた者がある場合に、その者の電話番号つまり発信者番号やその電話をかけた日時を、後に管理サーバ６０から基地局４０を経由して取得して格納するための場所としても用いられる。
【００２０】
文字メッセージ格納部５４２は、管理サーバ６０から基地局４０を経由して取得した文字メッセージを記録するための、不揮発性メモリ中の一領域である。
なお、この文字メッセージは、通信不能状態である携帯電話機５０を発信先として電話をかけた者が管理サーバ６０に文字メッセージを伝達した場合において、その後に携帯電話機５０が通信可能状態になったときに管理サーバ６０から基地局４０を経由して取得するものである。
【００２１】
表示制御部５４３は、いわゆるテンキー等を含むキー５０５を介してユーザから電話着信履歴の表示指示を受けた場合に、電話着信履歴格納部５４１に格納されている発信者番号等の履歴情報をＬＣＤ５０６に表示する機能を有し、特定のユーザ操作を受けた場合に、文字メッセージ格納部５４２に格納されている文字メッセージをＬＣＤ５０６に表示する機能をも有する。
【００２２】
また、発呼部５４４は、ユーザからキー５０５を介して入力された電話番号を発信先として発呼する機能を有し、更に、表示制御部５４３によって発信者番号が表示されている状態で、ユーザからキー５０５を介して発呼指示を受けると、その際に表示されておりユーザに選択されている発信者番号を、宛先として発呼する機能をも有する。
＜データ＞
以下、移動体通信システム１において取り扱われる重要なデータについて説明する。
【００２３】
図３は、発信情報格納部７０に格納される発信情報のデータ構成及び内容例を示す図である。
発信情報７１０は、発呼があった際に発信先とされた携帯電話機が通信不能状態である場合において、管理サーバ６０によって発信情報格納部７０に記録される情報であり、同図に示すように、発信情報７１０は、発信先番号７１１、発信者番号７１２、日時７１３及び文字メッセージ７１４を含んで構成される。
【００２４】
ここで、発信先番号７１１は、発信先とされ通信不能状態であった携帯電話機の電話番号を示し、発信者番号７１２は、発信元の電話機の電話番号を示し、日時７１３は、発信がなされた日時を示す。
また、文字メッセージ７１４は、発信者が文字メッセージを管理サーバ６０に伝達した場合においてはその文字メッセージを構成する文字列を示し、他の場合には、文字列が存在しない旨を示す。
【００２５】
なお、管理サーバ６０は、発信者が非通知に設定していた場合には、発信者番号を取得することができないが、ここでは、そのような設定がなされていないものとして説明する。
図４は、携帯電話機５０のメモリに蓄積される電話着信履歴情報及び文字メッセージのデータ構成及び内容例を示す図である。
【００２６】
電話着信履歴情報７２０は、項番７２１、発信者番号７２２、日時７２３及び文字メッセージアドレス７２４を含んで構成される。
項番７２１は、レコード１件毎に異なるように定めた番号であり、例えば、日時７２３が古い日時であるレコードほど大きい番号となるように随時更新するものである。
発信者番号７２２は、管理サーバ６０から伝達された発信者番号、又は携帯電話機５０が通信可能で実際に電話着信があった際における発信元の電話機の番号を示す。
【００２７】
日時７２３は、管理サーバ６０から伝達された日時、又は携帯電話機５０が通信可能で実際に電話着信があった際における着信日時を示す。
文字メッセージアドレス７２４は、管理サーバ６０から文字メッセージが伝達された場合にはその文字メッセージを格納したメモリ領域のアドレスを示し、他の場合にはｎｕｌｌ値により文字メッセージが無い旨を示す。
＜動作＞
以下、上述の構成を備え、上述のデータを取り扱う移動体通信システム１の動作について説明する。
【００２８】
図５は、管理サーバ６０の発信受付に関する動作を示すフローチャートである。
携帯電話機１０から携帯電話機５０を呼び出すべき相手として発信がなされた場合に、基地局２０は電話網を介して管理サーバ６０にその発信の旨を伝達する。
これを受けて管理サーバ６０は、発信があったと判断し（ステップＳ１１）、発信者番号等の取得のための受信受付処理を行い（ステップＳ１２）、発信者番号等を携帯電話機５０に伝達するための発信者番号伝達処理を行う（ステップＳ１３）。
【００２９】
図６は、管理サーバ６０による発信受付処理を示すフローチャートである。
管理サーバ６０は、携帯電話機１０から送信された発信者番号と発信先番号とを基地局２０を介して取得し（ステップＳ２１）、現在日時を計時して取得し（ステップＳ２２）、
位置登録を受けた基地局より収集している情報に基づいて、携帯電話機が通信可能範囲に所在しているであろう基地局を制御して発信先である携帯電話機を呼び出す（ステップＳ２３）。
【００３０】
ステップＳ２３により呼び出した携帯電話機が通信可能状態であり、呼び出しに成功した場合には（ステップＳ２４）、管理サーバ６０は、発信元の携帯電話機と発信先の携帯電話機を通信させる（ステップＳ２５）。
一方、ステップＳ２３により呼び出した携帯電話機が通信不能状態であり、呼び出せなかった場合には（ステップＳ２４）、管理サーバ６０は、ステップＳ２１及びステップＳ２２で取得していた発信先番号、発信者番号及び現在日時とを対応付けて発信情報として発信情報格納部７０に記録する（ステップＳ２６）。
【００３１】
ステップＳ２６に続いて、管理サーバ６０は、発信元の携帯電話機に対して、基地局を介して、圏外又は電源オフにより呼び出しができない旨及び必要があれば文字メッセージを伝送できる旨の音声ガイダンスを送り、もし発信元の携帯電話機から文字メッセージが伝送された場合には（ステップＳ２７）、その文字メッセージをも発信者番号等と対応付けるよう発信情報格納部７０に記録し（ステップＳ２８）、発信受付処理を終える。また、発信元の携帯電話機から文字メッセージが伝送されなかった場合には（ステップＳ２７）、管理サーバ６０は、ステップＳ２８をスキップして、発信受付処理を終える。
【００３２】
図７及び図８は、発信側の携帯電話機１０と基地局２０との通信シーケンスを示す図であり、図７は、発信側の携帯電話機１０が文字メッセージを伝送しない例を示し、図８は、携帯電話機１０が文字メッセージを伝送する例を示す。
携帯電話機１０のユーザは、音声ガイダンスに従い携帯電話機１０のキーを操作することで文字メッセージを入力し、携帯電話機１０はその文字メッセージをユーザ間情報通知サービス機能によりＵＵＩ（User User Information）として基地局２０を介して管理サーバ６０に伝送する。
【００３３】
図９は、管理サーバ６０による発信者番号伝達処理を示すフローチャートである。
管理サーバ６０は、発信情報格納部７０中の発信情報７１０を参照し、記録されている発信者番号等からなるレコードは１件以上あるかを判定し（ステップＳ３１）、１件以上ある場合には、未着目の１件のレコードつまり未だ着目していない１件のレコードに、着目し（ステップＳ３２）、着目したレコード中の発信先番号の携帯電話機と現在通信可能であるか即ちその携帯電話機が通信不能状態でないかを判定し（ステップＳ３３）、通信可能であれば、その携帯電話機に、着目したレコード中の発信者番号と、日時と、もし文字メッセージがあればその文字メッセージとを、送信するよう基地局を制御する（ステップＳ３４）。
【００３４】
ステップＳ３３及びステップＳ３４は、例えば一度通信不能状態となった携帯電話機から新たに位置登録がなされたことにより通信可能と判定し、つまり通信可能状態になっていることを検出し、その携帯電話機に発信者番号等を送ることによりなされる。
ステップＳ３４に続いて、管理サーバ６０は、発信者番号を含む１件のレコードを発信情報格納部７０から削除し（ステップＳ３５）、未着目の発信者番号等を含む未着目のレコードがまだ存在すればステップＳ３２に戻って、存在しなければ発信者番号伝達処理を終える（ステップＳ３６）。
【００３５】
図１０は、基地局から、管理サーバより送られた発信情報を携帯電話機に伝達する際の通信シーケンスを示す図である。
この通信シーケンスは、図９におけるステップＳ３４に対応し、管理サーバから電話網を介して発信者番号と、日時と、もしある場合には文字メッセージとを受信した基地局が通信可能状態になった携帯電話機５０にこれらを伝達するためになされる。
【００３６】
この通信シーケンスは、図１０に示すように、通常の電話呼び出しを行うための通信シーケンスと同様に、基地局は着呼の通知をし、携帯電話機がリンクチャネル確立要求をし、基地局はこれに応じてリンクチャネル割当をし、携帯電話機から着呼応答があった際に基地局は呼設定を行う。但し、この呼設定においては、一般に用いられる呼設定情報６１０のうちの発サブアドレスフィールド６１１に、ユーザ特有の情報である旨の識別子と、通信不能時の発信者番号等の情報（以下、「通信不能時被呼情報」という。）の伝送であることを示す所定の識別子と、発信者番号と、日時と、文字メッセージの有無を示す情報とを格納し、文字メッセージがある場合には呼設定情報にＵＵＩフィールド６１２を設けて文字メッセージを構成する文字列を格納して、基地局は携帯電話機に伝送する。
【００３７】
図１１は、携帯電話機５０における着呼処理を示すフローチャートである。
携帯電話機５０は、基地局から呼び出しを受けて着呼した場合に、図１１に示す着呼処理を行う。
着呼した携帯電話機５０は、制御部５４０により、呼設定情報を参照し、通信不能時被呼情報を受信したか否かを判定し（ステップＳ４１）、通信不能時被呼情報を受信していない場合即ち通常の電話着信の場合には、発信者番号を取得し、現在の時刻を取得し、これらを対応付けて電話着信履歴格納部に格納し（ステップＳ４２）、スピーカ５０３又は着信バイブレータ５０４を制御して、音又は振動により着呼をユーザに報知し（ステップＳ４３）、従来の携帯電話機が着呼した場合と同様の処理を行う。
【００３８】
また、携帯電話機５０は、ステップＳ４１において通信不能時被呼情報を受信していると判定した場合には、通信不能時被呼情報中の発信者番号と日時とを対応付けて電話着信履歴格納部に格納し（ステップＳ４４）、通信不能時被呼情報中の文字メッセージの有無を示す情報を参照することにより、文字メッセージがある場合には（ステップＳ４５）、その文字メッセージを文字メッセージ格納部５４２に格納し（ステップＳ４６）、着呼処理を終了する。
【００３９】
ここで、上述の動作を具体例に即して簡単に説明する。
例えば、携帯電話機１０の電話番号が０９０１９０ｘ１２３４であり、携帯電話機５０の電話番号が０９０９９９９９ｘｘｘであるということを前提とし、携帯電話機５０が圏外である場合に携帯電話機１０から携帯電話機５０に電話がかけれたとすると、携帯電話機５０は通信不能状態であるため、管理サーバ６０が携帯電話機１０に音声ガイダンスで応答する。この際に携帯電話機１０のユーザが「ｘｘに到着しました。」という文字メッセージを入力したとした場合には、管理サーバ６０により発信情報格納部７０には図３に例示した２レコード目の内容が記録されることになる。
【００４０】
その後、携帯電話機５０が基地局４０の通信可能な範囲内に移動されると、管理サーバ６０による発信者番号伝達処理と、携帯電話機５０の着呼処理とによって、携帯電話機５０の電話着信履歴格納部５４１には図４に例示した電話着信履歴情報の項番が１のレコードが格納され、文字メッセージ格納部５４２には図４に例示した「ｘｘに到着しました。」という文字メッセージが格納される。なお、図４に例示した電話着信履歴情報の項番が２及び項番が３のレコードは、携帯電話機５０が過去に通話可能状態において直接に電話着信を受けた場合に格納された情報の内容例を示している。
【００４１】
以下、携帯電話機５０における電話着信履歴の表示及び発呼に係る動作を説明する。
図１２は、携帯電話機５０における電話着信履歴表示処理を示すフローチャートである。
携帯電話機５０の制御部５４０は、ユーザから電話着信履歴の表示指示を受けた場合には、表示制御部５４３及び発呼部５４４により、この電話着信履歴表示処理を実行する。
【００４２】
まず、表示制御部５４３は、電話着信履歴格納部５４１中に対応付けて格納されている発信者番号と日時と組にして列挙表示する（ステップＳ５１）。なお表示制御部５４３は、この列挙表示を、ＬＣＤの上方から電話着信履歴情報７２０における項番７２１の昇順に表示することにより行い、また初期状態においては一番上の一組が選択されているものと扱い、ユーザに、キー操作によりいずれかの一組を選択することを可能にさせる制御をも行う。選択された一組については、ＬＣＤ中において背景色の反転等といった強調表示がなされる。
【００４３】
ステップＳ５１に続いて、表示制御部５４３は、ユーザが文字メッセージの表示指示に相当する特定の操作を受け付けた場合には（ステップＳ５２）、選択されている一組に対応する文字メッセージを、電話着信履歴情報中の文字メッセージアドレスを参照することにより得て、ＬＣＤに表示する（ステップＳ５３）。
また、ステップＳ５２又はステップＳ５３に続いて、発呼部５４４は、ユーザから発呼指示に相当する特定の操作を受け付けた場合には（ステップＳ５４）、選択されている一組における発信者番号を発信先としてダイヤルして発呼する（ステップＳ５５）。
【００４４】
図１３は、電話着信履歴の表示に係るＬＣＤ画面例を示す図であり、同図（ａ）は、ユーザにより電話着信履歴の表示指示がなされた際に表示される画面を示し、同図（ｂ）は、ユーザにより文字メッセージの表示指示がなされた際に表示される画面を示す。
画面例８１０中において、履歴の一組８１１は、携帯電話機５０が通信不能状態であった際に呼び出されていて後に管理サーバ６０から伝達された発信者番号等の情報を示しており、現在選択されて背景が反転しており、「メ」というマークによってユーザに文字メッセージが存在する旨を明示している。なお、画面例８１０中の下部にある発信マーク８０１及びメッセージマーク８０２は、それぞれ携帯電話機の中央付近の所定の操作キーを押下すれば発呼指示と扱い、携帯電話機の右付近の所定の操作キーを押下すれば文字メッセージ表示指示と扱う旨をユーザに示すためのマークである。
【００４５】
画面例８２０は、画面例８１０に示す状態において、文字メッセージ表示指示に相当する操作キーが押下された場合に表示制御部５４３によってＬＣＤ５０６に表示される画面である。画面例８２０中の文字メッセージ表示欄８２１には、履歴の一組８１１に対応する文字メッセージが表示される。
なお、画面例８２０中の下部にある一覧マーク８０３は、携帯電話機の右付近の所定の操作キーを押下すれば履歴の一覧表示画面である画面例８１０の表示指示と扱う旨をユーザに示すためのマークである。
【００４６】
画面例８１０又は画面例８２０が表示されている間に、ユーザが携帯電話機の中央付近の所定の操作キーを押下して発呼指示を行えば、発呼部５４４によって、電話番号０９０１９０ｘ１２３４がダイヤルされ携帯電話機１０を発信先として発呼がなされることになる。
＜補足＞
以上、本発明に係る移動体通信システムについて、実施形態に基づいて説明したが、本発明は、勿論これらの実施形態に限られない。以下、実施形態の変形に関して説明する。
（１）上述の実施形態で示した携帯電話機５０は、電話機能を有するものであればＰＤＡ等であってもよい。また、発信者側の携帯電話機１０は、必ずしも移動可能な電話機でなくてもよく、電話局の交換機と有線接続された電話機であることとしてもよい。
（２）上述の実施形態では、通信不能状態であった携帯電話機が通信可能状態になったことを、携帯電話機からの新たな位置登録によって検知することとしたが、通信可能状態になったことの検知方法は、これに限定されず、例えば管理サーバが一定間隔を空けて繰り返しその携帯電話機を呼び出し、応答があった場合に通信可能状態になったと検知することとしてもよく、また、管理サーバは、通信可能状態であることを検知してから携帯電話機に必要な情報を送信するのではなく、ステップＳ３４の送信を試みることを、送信に成功するまで繰り返すこととしてもよい。
（３）上述の実施形態では、通信不能状態の間に発信者から発されていた文字メッセージを携帯電話機に伝達する機能を実現するための構成をも示したが、移動体通信システムにおいて文字メッセージに係る機能を省略してもよい。また、発信先が通信不能状態である際に管理サーバから発信側の電話機に対して行う音声ガイダンスを省略してもよい。
（４）上述の実施形態で示した管理サーバと基地局との機能分担は、一例であり、例えば基地局が管理サーバ６０の機能を含んでいることとしてもよく、１又は複数の基地局と管理サーバとである基地局システムによって、発信先の携帯電話機が通信不能状態の場合における発信者番号等の保存や、その発信先の携帯電話機が通信可能状態になった後にその保存していた発信者番号等のその携帯電話機への伝達が行われればよい。
（５）上述の実施形態で示した携帯電話機の各機能を実現させるための各種処理（図１１、図１２参照）をＣＰＵに実行させるためのプログラムを、記録媒体に記録し又は各種通信路等を介して、流通させ頒布することもできる。このような記録媒体には、ＩＣカード、光ディスク、フレキシブルディスク、ＲＯＭ等がある。流通、頒布されたプログラムは、ＣＰＵを備える携帯通信端末におけるＣＰＵで読み取り可能なメモリ等に格納されることにより利用に供され、そのＣＰＵがそのプログラムを実行することにより実施形態で示した携帯電話機における各機能が実現される。
【産業上の利用可能性】
【００４７】
本発明に係る移動体通信システムは、移動体即ち携帯通信端末の操作性を向上させることに貢献するシステムとして有用である。
【符号の説明】
【００４８】
１    移動体通信システム
１０    携帯電話機
２０    基地局
３０    電話網
４０    基地局
５０    携帯電話機
６０    管理サーバ
７０    発信情報格納部
５０１    マイク
５０２    レシーバ
５０３    スピーカ
５０４    着信バイブレータ
５０５    キー
５０６    ＬＣＤ
５１０    変調部
５２０    復調部
５３０    高周波部
５３１    アンテナ
５４０    制御部
５４１    電話着信履歴格納部
５４２    文字メッセージ格納部
５４３    表示制御部
５４４    発呼部
【図１】
2010022072.tif 000003
【図２】
2010022072.tif 000004
【図３】
2010022072.tif 000005
【図４】
2010022072.tif 000006
【図５】
2010022072.tif 000007
【図６】
2010022072.tif 000008
【図７】
2010022072.tif 000009
【図８】
2010022072.tif 000010
【図９】
2010022072.tif 000011
【図１０】
2010022072.tif 000012
【図１１】
2010022072.tif 000013
【図１２】
2010022072.tif 000014
【図１３】
2010022072.tif 000015